(57)【要約】【課題】車両用空調装置において、各送風モードにおける後席側のフェイス送風口及びフット送風口への送風量を維持しつつ、バイレベルモードにおける送風温度を所望の温度へと調整する。【解決手段】空調ケース１２の車両後方側に後席側への送風を行う後席側送風ユニット２０を備え、この後席側送風ユニット２０は、空調ケース１２に接続された後席用通路２８と、該後席用通路２８の下流側で分岐部３０を介して分岐された後席用フット通路３２と後席用フェイス通路３４とを有し、前記分岐部３０には、前記後席用通路２８、後席用フット通路３２及び後席用フェイス通路３４の開閉状態を切り替える切替機構３６が設けられる。そして、バイレベルモードで後席側へと送風する際には、切替機構３６のロータリドア４４によって冷風通路５２に臨む後席用通路２８の下部を塞ぐことにより、冷風通路５２からの冷風と温風とを効果的に混合させ後席側へとそれぞれ送風することができる。【選択図】図２
2019167008.tif 000002
【特許請求の範囲】
【請求項１】
空調ケースと、該空調ケースの内部に設けられる冷却器及び加熱器と、前記加熱器が配置される温風通路と、前記冷却器の下流側に設けられ前記加熱器を迂回する冷風通路と、前記温風通路と前記冷風通路の下流側に設けられ冷風と温風とが混合される合流部とを有した車両用空調装置において、
前記空調ケースには、前記合流部に臨むように設けられ車両における後席側への送風を調整する後席送風ユニットを備え、
前記後席送風ユニットは、前記空調ケースにおいて車両後方側に開口した上流側開口と、
前記上流側開口の下流側に開口し車両後席側の足元近傍へ送風するフット開口と、
前記フット開口の下方に設けられ前記車両後席側の顔近傍へ送風するフェイス開口と、
前記上流側開口、前記フット開口、前記フェイス開口の開閉状態を切り替える切替ドアと、
を有し、
前記切替ドアは、前記フット開口のみから送風を行うフットモードにおいて前記フェイス開口を閉塞し、前記フェイス開口のみから送風を行うフェイスモードでは前記フット開口を閉塞すると共に、前記フット開口及び前記フェイス開口から同時に送風を行うバイレベルモードにおいて、前記上流側開口の一部を閉じることを特徴とする車両用空調装置。
【請求項２】
請求項１記載の車両用空調装置において、
前記バイレベルモードにおいて、前記上流側開口を前記切替ドアで閉じる際、該切替ドアによって前記上流側開口における前記冷風通路側となる一部を閉じることを特徴とする車両用空調装置。
【請求項３】
請求項１又は２記載の車両用空調装置において、
前記切替ドアは、前記空調ケースに回転自在に支持される回転軸と、
前記回転軸の径方向外側に設けられ、該回転軸の周方向に沿って延在する遮蔽板と、
を備えたロータリドアであることを特徴とする車両用空調装置。
【発明の詳細な説明】
【技術分野】
【０００１】
本発明は、車両に搭載され、熱交換器によって温度調整のなされた空気を車室内へと送風して車室内の温度調整を行う車両用空調装置に関する。
【背景技術】
【０００２】
従来から、車両に搭載される車両用空調装置１は、例えば、図４に示す特許文献１に開示されるように、空調ケース２の内部が仕切り板３によって上下に分割され、この仕切り板３によって第１の空気入口から流入した空気が流れる第１空気通路４ａと、第２の空気入口から流入した空気が流れる第２空気通路４ｂとが分割されると共に、前記第１及び第２空気通路４ａ、４ｂに跨るように蒸発器５が設けられる。また、蒸発器５の下流側にはヒータコア６が設けられ、その上部によって第１空気通路４ａを流れる空気が加熱され、下部によって第２空気通路４ｂを流れる空気が加熱される。
【０００３】
そして、ヒータコア６の下部を通過した温風は、その下流側において該ヒータコア６の下方をバイパスしてきた冷風と空気混合部７において混合された後、車両後方部において、前席フット開口部８の下方に開口した後席用開口部９へと供給されることで車室内の後席側の足元近傍へと温調風が送風される。
【０００４】
近年、上述したような車両用空調装置１において、後席側への温調された空気を送風する際、乗員の足元近傍へ送風するだけではなく、乗員の顔近傍へ同時に送風することで乗員の快適性をより高めることが望まれている。
【０００５】
このような後席における乗員の顔近傍へ送風するフェイスモードを実現しようとした場合には、例えば、後席用開口部９から下流側を後席側フェイス通路と、後席側フット通路とに分岐させ、その分岐部位に前記の２つの通路と後席開口部との連通状態を切り替えるためのロータリドアを設けることが考えられる。
【０００６】
そして、上述したような構成で、後席側フェイス通路を通じて後席における乗員の顔近傍へ送風すると同時に、後席側フット通路を通じて足元近傍へ送風するバイレベルモードでの運転を実現しようとした場合には、ロータリドアをフェイス通路とフット通路との間に跨るような位置とし、上流側の後席用開口部と後席側フェイス通路及び後席フット側通路とを共に連通させることで、温調風を同時に後席における乗員の顔近傍と足元近傍へ同時に送風可能となる。この時、乗員の顔近傍へ送風される温調風の温度は、足元近傍へ送風される温調風の温度より低く設定することで乗員の快適性をより高めることができる。
【先行技術文献】
【特許文献】
【０００７】
【特許文献１】特開２０１３−１４２８４号公報
【発明の概要】
【発明が解決しようとする課題】
【０００８】
しかしながら、上述した構成では、ヒータコア６を通過した温風と蒸発器５を通過して該ヒータコア６をバイパスした冷風とが後席用開口部９の近傍において十分に混合されないまま、上方の後席側フェイス通路へと流入することになる。そのため、後席における乗員の顔近傍へと送風される温調風と足元近傍へと送風される温調風との温度差が必要以上に大きくなり、所望の温度へと設定することが難しいという問題がある。
【０００９】
また、このような課題を解決するために、例えば、温風と冷風とがより効果的に混合されるように後席用開口部９の開口面積を縮小することが考えられるが、この後席用開口部９の開口面積を縮小すると、該後席用開口部９から下流側へと流れる温調風の送風抵抗が増加してしまい、乗員の顔近傍へのみ送風するフェイスモードや乗員の足元近傍へのみ送風するフットモードでの送風量が低下してしまうという問題が生じる。
【００１０】
本発明は、前記の課題を考慮してなされたものであり、各送風モードにおける後席側の各送風口への送風量を維持しつつ、バイレベルモードにおける送風温度を所望の温度へと調整することが可能な車両用空調装置を提供することを目的とする。
【課題を解決するための手段】
【００１１】
前記の目的を達成するために、本発明は、空調ケースと、空調ケースの内部に設けられる冷却器及び加熱器と、加熱器が配置される温風通路と、冷却器の下流側に設けられ加熱器を迂回する冷風通路と、温風通路と冷風通路の下流側に設けられ冷風と温風とが混合される合流部とを有した車両用空調装置において、
空調ケースには、合流部に臨むように設けられ車両における後席側への送風を調整する後席送風ユニットを備え、
後席送風ユニットは、空調ケースにおいて車両後方側に開口した上流側開口と、
上流側開口の下流側に開口し車両後席側の足元近傍へ送風するフット開口と、
フット開口の下方に設けられ車両後席側の顔近傍へ送風するフェイス開口と、
上流側開口、フット開口、フェイス開口の開閉状態を切り替える切替ドアと、
を有し、
切替ドアは、フット開口のみから送風を行うフットモードにおいてフェイス開口を閉塞し、フェイス開口のみから送風を行うフェイスモードではフット開口を閉塞すると共に、フット開口及びフェイス開口から同時に送風を行うバイレベルモードにおいて、上流側開口の一部を閉じることを特徴とする。
【００１２】
本発明によれば、車両用空調装置を構成する空調ケースには、冷風と温風とが混合される合流部に臨むように後席側への送風を調整する後席送風ユニットが設けられ、この後席送風ユニットは、空調ケースの車両後方側に開口した上流側開口と、車両後席側の足元近傍へ送風するフット開口と、フット開口の下方に設けられ車両後席側の顔近傍へ送風するフェイス開口と、これらの上流側開口、フット開口、フェイス開口の開閉状態を切り替える切替ドアとを備えている。
【００１３】
そして、フット開口を通じて車両後席側の足元近傍へのみ送風するフットモードでは、切替ドアによってフェイス開口を閉塞し、フェイス開口を通じて車両後席側の顔近傍へのみ送風するフェイスモードでは切替ドアでフット開口を閉塞すると共に、フット開口及びフェイス開口から同時に送風を行うバイレベルモードでは、上流側開口の一部を切替ドアで閉じる。
【００１４】
従って、後席側の顔近傍と足元近傍へ同時に送風するバイレベルモードにおいて、上流側開口の一部を切替ドアで塞いで開口面積を意図的に減少させることで、合流部において冷風と温風との混合をより促進させ、所望の温度へと温度調整のなされた空気を後席側へと送風することができる。
【００１５】
また、上述した切替ドアの配置によってバイレベルモード時の送風温度を調整可能とすることで、フットモード及びフェイスモード時における上流側開口の開口面積を大きく確保することができるため、後席側における乗員の足元近傍や、顔近傍へ温調風を送風する場合において、上流側開口を通過する空気の送風抵抗が増加してしまうことがなく、所望の送風量で効率よく車室内へと送風することができる。
【００１６】
その結果、フェイスモードやフットモード時における送風抵抗を増加させることなく後席側への送風量を維持しつつ、バイレベルモードにおいて後席側へ送風される空気を所望の温度へと調整することが可能となる。
【００１７】
また、バイレベルモードにおいて、上流側開口を切替ドアで閉じる際、切替ドアによって上流側開口における冷風通路側となる一部を閉じるとよい。
【００１８】
さらに、切替ドアは、空調ケースに回転自在に支持される回転軸と、
回転軸の径方向外側に設けられ、回転軸の周方向に沿って延在する遮蔽板と、
を備えたロータリドアとするとよい。
【発明の効果】
【００１９】
本発明によれば、以下の効果が得られる。
【００２０】
すなわち、空調ケースに設けられる後席送風ユニットが、空調ケースの車両後方側に開口した上流側開口と、車両後席側の足元近傍へ送風するフット開口と、フット開口の下方に設けられ車両後席側の顔近傍へ送風するフェイス開口と、これらの上流側開口、フット開口、フェイス開口の開閉状態を切り替える切替ドアとを備え、後席側の顔近傍と足元近傍へ同時に送風するバイレベルモードにおいて、上流側開口の一部を切替ドアで塞いで開口面積を意図的に減少させることで、合流部における冷風と温風との混合をより促進させ、後席側への送風温度を所望の温度へと調整することができる。また、後席側の足元近傍へのみ送風するフットモードや後席側の顔近傍のみへ送風するフェイスモードでは、上流側開口の開口面積を大きく確保することができるため、温風及び冷風が流通する際の送風抵抗が増加してしまうことがなく、上流側開口を通過する空気を所望の送風量で効率よく車室内へと送風することができる。
【００２１】
その結果、フェイスモードやフットモード時における送風抵抗を増加させることなく後席側への送風量を維持しつつ、バイレベルモードにおいて後席側へ送風される空気を所望の温度へと好適に調整することができる。
【図面の簡単な説明】
【００２２】
【図１】本発明の実施の形態に係る車両用空調装置の概略全体断面図である。
【図２】図１の車両用空調装置における後席側送風ユニット近傍を示す拡大断面図である。
【図３】図３Ａは、後席側送風ユニットのロータリドアが後席用フェイス通路を閉塞した状態を示す拡大断面図であり、図３Ｂは、前記ロータリドアが後席用フット通路を閉塞した状態を示す拡大断面図であり、図３Ｃは、前記ロータリドアが後席用通路を閉塞した状態を示す拡大断面図である。
【図４】従来技術に係る車両用空調装置を示す全体断面図である。
【発明を実施するための形態】
【００２３】
本発明に係る車両用空調装置について好適な実施の形態を挙げ、添付の図面を参照しながら以下詳細に説明する。図１において、参照符号１０は、本発明の実施の形態に係る車両用空調装置を示す。なお、以下の説明では、図１に示される車両用空調装置１０の左側（矢印Ａ方向）を車両の前方側とし、右側（矢印Ｂ方向）を前記車両の後方側として説明する。
【００２４】
この車両用空調装置１０は、図１に示されるように、空気の各通路を構成する空調ケース１２と、該空調ケース１２の内部に配設され前記空気を冷却するエバポレータ（冷却器）１４と、該空気を加熱するヒータコア（加熱器）１６と、前記各通路内を流通する空気の流れを切り換えるドア機構１８と、車両の後席側への送風を調整する後席側送風ユニット（後席送風ユニット）２０とを含む。
【００２５】
空調ケース１２の上方（矢印Ｃ１方向）には、車室内における乗員の顔近傍に送風を行うフェイス送風口２２と、該フェイス送風口２２と隣接し車両のフロントウィンドウ近傍に送風を行うデフロスタ送風口２４とが開口している。
【００２６】
一方、空調ケース１２の後方側（矢印Ｂ方向）には、車両の前席における乗員の足元近傍に送風を行うフット送風口（図示せず）と、該フット送風口の下部には後席側送風ユニット２０が設けられている。なお、フット送風口は、空調ケース１２において前後方向（矢印Ａ、Ｂ方向）と直交する幅方向側壁に開口している。
【００２７】
この後席側送風ユニット２０は、図１及び図２に示されるように、空調ケース１２の後端面において下方（矢印Ｃ２方向）に開口した後席側取込口２６を有し、該後席側取込口２６は下流側に向かって延在した後席用通路（上流側開口）２８と接続されている。後席用通路２８は、その下流側において二股状に分岐した分岐部３０と、該分岐部３０のさらに下流側で上方（矢印Ｃ１方向）に接続された後席用フット通路（フット開口）３２と、該分岐部３０に対して下方（矢印Ｃ２方向）に接続された後席用フェイス通路（フェイス開口）３４とを有し、前記分岐部３０の内部には、前記後席用通路２８、前記後席用フット通路３２及び前記後席用フェイス通路３４の開閉状態を切り替える切替機構（切替ドア）３６が設けられる。
【００２８】
分岐部３０は、例えば、断面略円形状に形成された空間を内部に有し、その上流側が後席用通路２８に接続され、その下流側には、後席用フット通路３２及び前記後席用フェイス通路３４が周方向に所定間隔離間して設けられる。そして、図２に示されるように、後席用通路２８と後席用フット通路３２との間に第１周壁３８が形成され、前記後席用フット通路３２と後席用フェイス通路３４との間に第２周壁４０が形成され、前記後席用通路２８と前記後席用フェイス通路３４との間に第３周壁４２が形成される。第１〜第３周壁３８、４０、４２は、それぞれ断面円弧状に形成される。
【００２９】
また、後席用フット通路３２は、車両の後席側において乗員の足元近傍に開口した送風口（図示せず）と接続され、後席用フェイス通路３４は、車両の後席側において乗員の顔近傍に開口した送風口（図示せず）と接続されている。
【００３０】
切替機構３６は、例えば、分岐部３０において回転自在に設けられたロータリドア４４からなり、このロータリドア４４は、空調ケース１２の幅方向壁部に支持される回転軸４６と、該回転軸４６に対して径方向外側へと延在した断面扇状の側壁部４８と、該側壁部４８の外縁部に形成される遮蔽壁５０とを有している。この遮蔽壁５０は、分岐部３０の第１〜第３周壁３８、４０、４２に対応した半径からなる断面円弧状に形成される。
【００３１】
そして、ロータリドア４４は、回転軸４６が分岐部３０の略中央となるように配置され、図示しない駆動源からの駆動力によって回転することで、遮蔽壁５０が第１〜第３周壁３８、４０、４２、後席用通路２８、後席用フット通路３２、後席用フェイス通路３４に臨むように配置される。
【００３２】
一方、空調ケース１２の内部には、図１に示されるように、前方側（矢印Ａ方向）にエバポレータ１４が収納されると共に、該エバポレータ１４の下流側、すなわち、後方側（矢印Ｂ方向）にヒータコア１６が収納される。エバポレータ１４は、空調ケース１２の高さ方向（矢印Ｃ１、Ｃ２方向）に沿って該空調ケース１２と略同一高さで形成され、ヒータコア１６は、例えば、前記エバポレータ１４における下半分に臨むように略半分の高さで形成される。また、エバポレータ１４及びヒータコア１６の下部は、空調ケース１２の底部から離間するように設けられている。
【００３３】
そして、空調ケース１２には、エバポレータ１４の上流側となる位置に接続された図示しないダクトを通じて送風機から空気が導入され、前記エバポレータ１４を通過することで空気が冷却され、ヒータコア１６を通過することで前記空気が加熱される。
【００３４】
また、空調ケース１２における通路は、エバポレータ１４の配置される冷風通路５２と、該冷風通路５２の下流側に形成されヒータコア１６の配置される温風通路５４と、前記冷風通路５２の下流側において前記ヒータコア１６を迂回する一組の第１及び第２バイパス通路５６、５８とを含む。
【００３５】
第１バイパス通路５６は、ヒータコア１６の上方（矢印Ｃ１方向）を迂回するように設けられて冷風通路５２の下流側と連通し、第２バイパス通路５８は、前記ヒータコア１６の下方（矢印Ｃ２方向）を迂回するように設けられ、前記冷風通路５２の下流側と連通している。
【００３６】
さらに、エバポレータ１４の上流側には、空調ケース１２へ供給された空気を上下方向に沿って上側送風通路６０と下側送風通路６２とに分離する第１仕切り板６４が設けられ、この第１仕切り板６４は、エバポレータ１４の高さ方向略中央に臨むように形成され、空気の流通方向（矢印Ｂ方向）に沿って延在している。そして、上側送風通路６０には、車両の外部から取り込まれた空気（外気）が供給され、下側送風通路６２には、車室内から取り込まれた空気（内気）が供給される。
【００３７】
すなわち、この車両用空調装置１０は、外気と内気とを同時に取り込んで上下方向に分離させて空調ケース１２内へと供給可能な二層式である。
【００３８】
エバポレータ１４の下流側となる冷風通路５２には、上下方向（矢印Ｃ１、Ｃ２方向）に分割する第２仕切り板６６が設けられ、この第２仕切り板６６は、車両用空調装置１０の前後方向（矢印Ａ、Ｂ方向）に沿って第１仕切り板６４と一直線状となるように形成される。
【００３９】
また、ヒータコア１６の下流側には、温風通路５４を上側温風通路６８と下側温風通路７０とに分離する第３仕切り板７２が設けられている。この第３仕切り板７２は、例えば、ヒータコア１６の高さ方向略中央に臨む一端部から空気の流れ方向（矢印Ｂ方向）に沿って延在した後、途中から後席側取込口２６に向かって傾斜するように形成される。
【００４０】
ドア機構１８は、エバポレータ１４とヒータコア１６との間に設けられ冷風と温風との混合割合を調節する第１エアミックスドア７４と、前記エバポレータ１４の下流側において第２バイパス通路５８への空気の流通状態を切り替える第２エアミックスドア７６と、フェイス送風口２２からの送風状態を調整するフェイス切替ドア７８と、デフロスタ送風口２４からの送風状態を切り替えるデフロスタ切替ドア８０とを含む。
【００４１】
第１及び第２エアミックスドア７４、７６は、空調ケース１２に対して回転自在に支持された第１及び第２シャフト８２、８４に対してラックギア８６を介してそれぞれ噛合され、図示しない駆動源からの駆動力によって第１及び第２シャフト８２、８４が回転することで、前記第１及び第２エアミックスドア７４、７６が上下方向（矢印Ｃ１、Ｃ２方向）にスライド変位する。
【００４２】
そして、第１及び第２エアミックスドア７４、７６は、上下方向にスライドすることで冷風通路５２を流れる冷風のヒータコア１６と第１及び第２バイパス通路５６、５８との流通割合を調節する。
【００４３】
本発明の実施の形態に係る車両用空調装置１０は、基本的には以上のように構成されるものであり、次にその動作並びに作用効果について説明する。
【００４４】
この車両用空調装置１０において、乗員の足元近傍へ温調風を送風する暖房運転（フットモード）を行う場合には、図３Ａに示されるように、後席側送風ユニット２０のロータリドア４４を図示しない駆動源の駆動作用下に回転させ、その遮蔽壁５０が後席用フェイス通路３４に臨んで閉塞した状態とする。すなわち、後席用フット通路３２が分岐部３０を介して後席用通路２８と連通した状態となる。
【００４５】
これにより、上側送風通路６０及び下側送風通路６２を通じて外気及び内気である空気が、エバポレータ１４の内部を通過して冷却されて冷風通路５２へと流れ、この冷風通路５２へと流れる冷風が、第２仕切り板６６の上下方向においてそれぞれ第１及び第２エアミックスドア７４、７６によってヒータコア１６と第１及び第２バイパス通路５６、５８へ導かれ、合流部８８で再び合流して温調され温調風となる。
【００４６】
そして、この温調風は、第３仕切り板７２によって図示しないフット送風口へと送風され前席側における乗員の足元近傍へと送風されると共に、後席側取込口２６から後席用通路２８へと流入して分岐部３０を経て後席用フット通路３２へと流通することで後席側の足元近傍へと送風される。
【００４７】
次に、乗員の顔近傍へ温調風を送風する冷房運転（フェイスモード）を行う場合には、フェイス切替ドア７８によってフェイス送風口２２を開口させ、図３Ｂに示されるように、さらに後席側送風ユニット２０のロータリドア４４を回転させ、その遮蔽壁５０が後席用フット通路３２に臨んで閉塞した状態とする。すなわち、後席用フェイス通路３４が分岐部３０を介して後席用通路２８と連通した状態となる。
【００４８】
これにより、上側送風通路６０及び下側送風通路６２を通じて外気及び内気である空気が、エバポレータ１４を通過して冷却され冷風通路５２へと流れ、この冷風通路５２へと流れる冷風は、第１及び第２エアミックスドア７４、７６によってヒータコア１６と第１及び第２バイパス通路５６、５８へ導かれ、合流部８８で再び合流することで温調されて温調風となり、フェイス送風口２２を経て前席における乗員の顔近傍へと送風されると共に、後席側取込口２６、後席用通路２８を経て分岐部３０から後席用フェイス通路３４へと流れ、後席における乗員の顔近傍へと送風される。
【００４９】
さらに、乗員の顔近傍と足元近傍へ同時に温調風を送風するバイレベルモードで運転する場合には、図１及び図２に示されるように、後席側送風ユニット２０のロータリドア４４を回転させ、その遮蔽壁５０が分岐部３０の第３周壁４２に臨み、且つ、後席用通路２８及び後席用フェイス通路３４の一部をそれぞれ塞ぐように配置する。すなわち、分岐部３０においてロータリドア４４が下方となるように配置され、後席用フット通路３２が完全に開放され、後席用通路２８及び後席用フェイス通路３４とに跨るようにロータリドア４４が配置されることで、後席用通路２８と前記後席用フット通路３２及び後席用フェイス通路３４とがそれぞれ連通した状態となる。
【００５０】
これにより、ヒータコア１６における上流側（矢印Ａ方向）の一部が第１及び第２エアミックスドア７４、７６によって覆われた状態となり、上側送風通路６０及び下側送風通路６２を通じて外気及び内気である空気が、エバポレータ１４を通過して冷風として冷風通路５２へと流れ、この冷風の一部が、ヒータコア１６を迂回するように第１及び第２バイパス通路５６、５８から該ヒータコア１６の下流側へと送風され、残りの冷風が前記ヒータコア１６を通過することで加熱され温風として下流側へと送風される。
【００５１】
そして、第１バイパス通路５６を流通する冷風と第３仕切り板７２の上方を流れる温風とが、ヒータコア１６の下流側において混合された後、それぞれフェイス送風口２２及びフット送風口（図示せず）へと送風されることで、それぞれ車室内の前席側における乗員の顔近傍及び足元近傍へと供給される。
【００５２】
一方、第２バイパス通路５８を流通する冷風が空調ケース１２の底部に沿って後方側へと流れると共に、第３仕切り板７２の下方を流れる温風が同様に空調ケース１２の後方側へと流れる。この際、冷風は、後席用通路２８に対して下方から流入しようとした際、該後席用通路２８の下部側がロータリドア４４によって塞がれているため、前記冷風は、前記後席用通路２８に露呈したロータリドア４４の遮蔽壁５０に沿って上方へと流れ、上方側から後方側に向かって比較的直線状に流れてきた温風の流れと合流部８８において合流することで混合される。
【００５３】
そして、冷風と温風とが好適に混合された後、後席用通路２８の開口した部位から分岐部３０へと流入し、その温風が比較的直線状に流れることで後席用フット通路３２へと導かれ、冷風がロータリドア４４に沿って下方へと流れることで後席用フェイス通路３４へと導かれ、それぞれ後席側における乗員の顔近傍及び足元近傍へと送風される。
【００５４】
一方、後席側送風ユニット２０による後席側への送風を停止して前席側のみへ送風を行う場合には、図３Ｃに示されるようにロータリドア４４を回転させ、その遮蔽壁５０が後席用通路２８に臨んで塞ぐように配置することで、後席用通路２８と後席用フット通路３２及び後席用フェイス通路３４との連通が遮断され、後席側への送風が遮断される。
【００５５】
以上のように、本実施の形態では、車室内の後席側への送風可能な後席側送風ユニット２０を空調ケース１２の後方側に設け、この後席側送風ユニット２０は、空調ケース１２の後方側に開口して接続された後席用通路２８と、該後席用通路２８の下流側で分岐した分岐部３０へ接続される後席用フット通路３２及び後席用フェイス通路３４とを備え、前記後席用通路２８、後席用フット通路３２及び後席用フェイス通路３４の開閉状態を切替機構３６のロータリドア４４によって切替可能としている。
【００５６】
従って、後席側における乗員の顔近傍と足元近傍へ温調風を同時に送風するバイレベルモードにおいて、後席用通路２８の一部をロータリドア４４へ塞ぐように配置して意図的に開口面積を減少させることで、合流部８８において冷風と温風との混合をより促進させ、後席側への送風温度を所望の温度へと調整することができる。
【００５７】
また、上述したロータリドア４４の配置によってバイレベルモード時の送風温度を調整可能とすることで、フットモード及びフェイスモード時における後席側取込口２６（後席用通路２８）の開口面積を絞る必要がなく大きく確保することができる。そのため、後席側における乗員の足元近傍へ温風のみを送風するフットモードや後席側における乗員の顔近傍へ冷風のみを送風するフェイスモードにおいて、冷風や温風の送風抵抗が増加してしまうことがなく、この冷風及び温風を所望の送風量で効率よく車室内の後席側へと送風することができる。
【００５８】
その結果、フェイスモードやフットモード時における送風抵抗を増加させることなく後席側への送風量を維持しつつ、バイレベルモードにおいて後席側へ送風される空気を所望の温度へと調整することが可能となる。
【００５９】
さらに、上述したバイレベルモードにおいて、ロータリドア４４の遮蔽壁５０が後席用通路２８における冷風通路５２側（矢印Ｃ２方向）となる下部の一部を塞ぐように配置する。これにより、温風通路５４と比較して流路抵抗が少ない冷風通路５２を流れる冷風を、該冷風通路５２側の塞がれた後席用通路２８（後席側取込口２６）へと流入させることで、該冷風の流れが好適に上方へと偏向されて温風へと合流させることができる。これにより、直線状に流れる場合と比較して冷風の流速は低下することになるが、この冷風の流速は温風と比較して速いため、両者が混合された後に十分な流速で後席側送風ユニット２０を通じて車室内の後席側へと送風することができる。
【００６０】
また、ロータリドア４４を切替機構３６として用いることで、空調ケース１２に支持される回転軸４６と、該回転軸４６の径方向外側に設けられる遮蔽壁５０という簡素な構成で、後席用通路２８、後席用フット通路３２、後席用フェイス通路３４という３つの通路を選択的且つ自在に開閉することが可能となる。
【００６１】
なお、本発明に係る車両用空調装置は、上述の実施の形態に限らず、本発明の要旨を逸脱することなく、種々の構成を採り得ることはもちろんである。
【符号の説明】
【００６２】
１０…車両用空調装置                １２…空調ケース
１４…エバポレータ                  １６…ヒータコア
２０…後席側送風ユニット            ２６…後席側取込口
２８…後席用通路                    ３０…分岐部
３２…後席用フット通路              ３４…後席用フェイス通路
３６…切替機構                      ４４…ロータリドア
５０…遮蔽壁                        ５２…冷風通路
５４…温風通路                      ５６…第１バイパス通路
５８…第２バイパス通路              ７４…第１エアミックスドア
７６…第２エアミックスドア
【図１】
2019167008.tif 000003
【図２】
2019167008.tif 000004
【図３】
2019167008.tif 000005
【図４】
2019167008.tif 000006